(57)【要約】【課題】親展指定のファクシミリデータが送受信される際に、送信側および受信側の一方のユーザーが他方のユーザーに対して秘匿化鍵情報を通知する手間を省略できること。【解決手段】画像処理装置は、相手側装置から親展相手識別情報を含む登録確認要求を受信した場合に、受信側登録情報が前記親展相手識別情報と合致する親展受取者識別情報を含む状態である場合にのみ、前記登録確認要求の送信元からファクシミリデータを受信し（Ｓ４０７）、秘匿化鍵情報を受信することなしに、そのファクシミリデータを前記受信側登録情報の秘匿化鍵情報を用いて秘匿化する（Ｓ５０９）。【選択図】図６
2016152462.tif 000002
【特許請求の範囲】
【請求項１】
親展のファクシミリデータの受取者を識別する親展受取者識別情報とデータの秘匿化に用いられる秘匿化鍵情報と前記ファクシミリデータの出力先を表す受信データ出力先情報とが対応づけられ予め記憶部に記憶された受信側登録情報を参照する受信側登録情報参照部と、
ファクシミリ通信の相手側装置から親展相手識別情報を含む登録確認要求を前記ファクシミリ通信用の第１通信回線またはそれとは異なる第２通信回線を通じて受信した場合に、前記受信側登録情報が前記親展相手識別情報と合致する前記親展受取者識別情報を含む登録済状態であるかそうではない未登録状態であるかを判定する登録判定処理を実行する登録判定部と、
前記登録判定処理の判定結果を表す応答情報を前記相手側装置に返信する登録判定結果応答部と、
前記判定結果が前記登録済状態である場合にのみ、前記登録確認要求の送信元から親展指定された前記ファクシミリデータを前記第１通信回線を通じて受信する親展データ受信部と、
前記登録確認要求の送信元から受信した前記ファクシミリデータを、前記登録確認要求の送信元から前記秘匿化鍵情報を受信することなしに、前記親展相手識別情報と合致する前記親展受取者識別情報に対応づけられた前記記憶部の前記秘匿化鍵情報を用いて秘匿化する秘匿化部と、
秘匿化された前記ファクシミリデータを前記親展相手識別情報と合致する前記親展受取者識別情報に対応する前記受信データ出力先情報が表す出力先へ出力する親展受信データ出力部と、を備える画像処理装置。
【請求項２】
前記親展データ受信部は、前記ファクシミリデータに含まれる秘匿ページデータと非秘匿ページデータとを区別して受信し、
前記秘匿化部は前記ファクシミリデータのうちの前記秘匿ページデータのみを秘匿化し、
前記親展受信データ出力部は、秘匿化された前記秘匿ページデータと前記非秘匿ページデータとを前記受信データ出力先情報が表す出力先へ出力する、請求項１に記載の画像処理装置。
【請求項３】
ファクシミリデータの親展の相手を識別する親展相手識別情報を含む登録確認要求を、ファクシミリ通信用の第１通信回線またはそれとは異なる第２通信回線を通じて前記ファクシミリ通信の相手側装置に送信する登録確認部と、
前記親展相手識別情報に合致する情報が前記相手側装置に登録済みの状態であるか否かを表し前記登録確認要求に対し返信される応答情報を受信する応答受信部と、
前記応答情報が登録済状態を表す場合に、親展指定された送信用データを秘匿化せずにファクシミリデータとして前記登録確認要求の送信先に対して前記第１通信回線を通じて送信する親展データ送信部と、を備える画像処理装置。
【請求項４】
前記第２通信回線を通じて他の端末装置から送信用の前記ファクシミリデータの元データを取得する元データ取得部と、
前記元データの画像に他の画像が付加された画像を表す前記送信用データを生成する送信用データ生成部と、を備える請求項３に記載の画像処理装置。
【請求項５】
前記送信用データ生成部は、
前記元データに新たなページの画像を表す付加ページデータを付加することにより前記送信用データを生成するページ付加部を含み、
前記親展データ送信部は、前記元データおよび前記付加ページデータの一方と他方とを秘匿ページデータと非秘匿ページデータとに区別して前記ファクシミリデータとして送信可能である、請求項４に記載の画像処理装置。
【請求項６】
前記元データに付加するための付加画像を入力する付加画像入力部と、
予め設定されたテンプレートページデータを、前記テンプレートページデータの画像に前記付加画像を合成した画像を表すデータに加工することによって前記付加ページデータを生成する付加データ画像合成部と、を備える請求項５に記載の画像処理装置。
【請求項７】
前記元データに付加するための付加画像を入力する付加画像入力部を備え、
前記送信用データ生成部は、前記元データを、前記元データの画像に前記付加画像を合成した画像を表すデータに加工することにより、前記送信用データを生成する元データ画像合成部を含む、請求項４から請求項６のいずれか１項に記載の画像処理装置。
【請求項８】
前記付加画像入力部が、手書きの前記付加画像を入力可能なタッチパネルを含む、請求項６または請求項７に記載の画像処理装置。
【発明の詳細な説明】
【技術分野】
【０００１】
本発明は、親展のファクシミリデータを送受信可能な画像処理装置に関する。
【背景技術】
【０００２】
一般に、親展指定のファクシミリデータの送受信において、受信側装置が、親展指定の前記ファクシミリデータと親展相手を識別する親展先情報と秘匿化鍵情報とを受信した場合に、前記秘匿化鍵情報を用いて前記ファクシミリデータを秘匿化する（例えば、特許文献１参照）。例えば、前記受信側装置は、前記秘匿化鍵情報で保護されたデータフォルダーに前記ファクシミリデータを保存する。
【先行技術文献】
【特許文献】
【０００３】
【特許文献１】特開２００１−１６４５８号公報
【発明の概要】
【発明が解決しようとする課題】
【０００４】
ところで、ファクシミリ通信機能を備える一般的な画像処理装置において、親展指定のファクシミリデータの送受信が行われる際、送信側および受信側の一方のユーザーが、他方のユーザーに対して秘匿化に用いられるパスワードなどの前記秘匿化鍵情報を通知する必要がある。
【０００５】
一般に、前記秘匿化鍵情報は、受信側のユーザーごとに設定されるため、ユーザーごとに前記秘匿化鍵情報の通知を行うことはユーザーにとって煩雑である。
【０００６】
さらに、前記秘匿化鍵情報を随時変更することが推奨されるため、前記秘匿化鍵情報の変更が生じるごとに前記秘匿化鍵情報の通知を行うこともユーザーにとって煩雑である。
【０００７】
本発明の目的は、親展指定のファクシミリデータが送受信される際に、送信側および受信側の一方のユーザーが他方のユーザーに対して秘匿化鍵情報を通知する手間を省略できる画像処理装置を提供することにある。
【課題を解決するための手段】
【０００８】
本発明の一の局面に係る画像処理装置は、受信側登録情報参照部と、登録判定部と、登録判定結果応答部と、親展データ受信部と、秘匿化部と、親展受信データ出力部とを備える。前記受信側登録情報参照部は、予め記憶部に記憶された受信側登録情報を参照する。前記受信側登録情報は、親展のファクシミリデータの受取者を識別する親展受取者識別情報と、データの秘匿化に用いられる秘匿化鍵情報と、前記ファクシミリデータの出力先を表す受信データ出力先情報とが対応づけられた情報である。前記登録判定部は、ファクシミリ通信の相手側装置から登録確認要求を前記ファクシミリ通信用の第１通信回線またはそれとは異なる第２通信回線を通じて受信した場合に、登録判定処理を実行する。前記登録確認要求は、親展相手識別情報を含む。前記登録判定処理は、前記受信側登録情報が前記親展相手識別情報と合致する前記親展受取者識別情報を含む登録済状態であるかそうではない未登録状態であるかを判定する処理である。前記登録判定結果応答部は、前記登録判定処理の判定結果を表す応答情報を前記相手側装置に返信する。前記親展データ受信部は、前記判定結果が前記登録済状態である場合にのみ、前記登録確認要求の送信元から親展指定された前記ファクシミリデータを前記第１通信回線を通じて受信する。前記秘匿化部は、前記登録確認要求の送信元から受信した前記ファクシミリデータを、前記登録確認要求の送信元から前記秘匿化鍵情報を受信することなしに、前記親展相手識別情報と合致する前記親展受取者識別情報に対応づけられた前記記憶部の前記秘匿化鍵情報を用いて秘匿化する。前記親展受信データ出力部は、秘匿化された前記ファクシミリデータを前記親展相手識別情報と合致する前記親展受取者識別情報に対応する前記受信データ出力先情報が表す出力先へ出力する。
【０００９】
本発明の他の局面に係る画像処理装置は、登録確認部と、応答受信部と、親展データ送信部とを備える。前記登録確認部は、ファクシミリデータの親展の相手を識別する親展相手識別情報を含む登録確認要求を、ファクシミリ通信用の第１通信回線またはそれとは異なる第２通信回線を通じて前記ファクシミリ通信の相手側装置に送信する。前記登録確認要求は、ファクシミリデータの親展の相手を識別する親展相手識別情報を含む。前記応答受信部は、前記登録確認要求に対し返信される応答情報を受信する。前記応答情報は、前記親展相手識別情報に合致する情報が前記相手側装置に登録済みの状態であるか否かを表す情報である。前記親展データ送信部は、前記応答情報が登録済状態を表す場合に、親展指定された送信用データを秘匿化せずにファクシミリデータとして前記登録確認要求の送信先に対して前記第１通信回線を通じて送信する。
【発明の効果】
【００１０】
本発明によれば、親展指定のファクシミリデータが送受信される際に、送信側および受信側の一方のユーザーが他方のユーザーに対して秘匿化鍵情報を通知する手間を省略できる画像処理装置を提供することが可能になる。
【図面の簡単な説明】
【００１１】
【図１】図１は、本発明の第１実施形態に係る画像処理装置を含むファクシミリ通信システムの構成図である。
【図２】図２は、本発明の第１実施形態に係る画像処理装置のブロック図である。
【図３】図３は、本発明の第１実施形態に係る画像処理装置が備える操作表示部の概略外観図である。
【図４】図４は、本発明の第１実施形態に係る画像処理装置が実行するファクシミリ送信中継処理および端末装置が実行するファクシミリ送信依頼処理の手順の一例を表すフローチャートである。
【図５】図５は、本発明の第１実施形態に係る画像処理装置が実行する送信用データ編集処理の手順の一例を表すフローチャートである。
【図６】図６は、本発明の第１実施形態に係る画像処理装置が実行するファクシミリ送信処理の手順の一例を表すフローチャートである。
【図７】図７は、本発明の第１実施形態に係る画像処理装置と通信可能な端末装置におけるファクシミリ宛先設定画面の初期状態の一例を表す図である。
【図８】図８は、本発明の第１実施形態に係る画像処理装置と通信可能な端末装置におけるファクシミリ宛先設定画面の設定途中状態の一例を表す図である。
【図９】図９は、本発明の第１実施形態に係る画像処理装置と通信可能な端末装置におけるファクシミリ送信条件設定画面の一例を表す図である。
【図１０】図１０は、本発明の第１実施形態に係る画像処理装置のファクシミリ送信中継処理におけるデータ編集内容選択画面の一例を表す図である。
【図１１】図１１は、本発明の第１実施形態に係る画像処理装置のファクシミリ送信中継処理におけるページ付加画面の初期状態の一例を表す図である。
【図１２】図１２は、本発明の第１実施形態に係る画像処理装置のファクシミリ送信中継処理における原稿スキャン通知を含むページ付加画面の一例を表す図である。
【図１３】図１３は、本発明の第１実施形態に係る画像処理装置のファクシミリ送信中継処理におけるテンプレート選択メニューを含むページ付加画面の一例を表す図である。
【図１４】図１４は、本発明の第１実施形態に係る画像処理装置のファクシミリ送信中継処理におけるプレビュー画像を含むページ付加画面の設定途中状態の一例を表す図である。
【図１５】図１５は、本発明の第１実施形態に係る画像処理装置のファクシミリ送信中継処理におけるページ付加位置設定画面の一例を表す図である。
【図１６】図１６は、本発明の第１実施形態に係る画像処理装置のファクシミリ送信中継処理における秘匿ページ設定画面の一例を表す図である。
【図１７】図１７は、本発明の第１実施形態に係る画像処理装置のファクシミリ送信中継処理における画像合成ページ設定画面の一例を表す図である。
【図１８】図１８は、本発明の第１実施形態に係る画像処理装置のファクシミリ送信中継処理における合成画像選択画面の一例を表す図である。
【図１９】図１９は、本発明の第１実施形態に係る画像処理装置のファクシミリ送信中継処理における手書き画像入力画面の一例を表す図である。
【図２０】図２０は、本発明の第１実施形態に係る画像処理装置のファクシミリ送信中継処理における合成画像位置・サイズ設定画面の一例を表す図である。
【図２１】図２１は、本発明の第１実施形態に係る画像処理装置のファクシミリ送信中継処理におけるマーク選択画面の一例を表す図である。
【図２２】図２２は、本発明の第１実施形態に係る画像処理装置のファクシミリ送信中継処理におけるテキスト入力画面の一例を表す図である。
【図２３】図２３は、本発明の第１実施形態に係る画像処理装置が参照する第１登録ユーザー情報のデータ構成図である。
【図２４】図２４は、本発明の第１実施形態に係る画像処理装置が参照する第２登録ユーザー情報のデータ構成図である。
【図２５】図２５は、本発明の第１実施形態に係る画像処理装置が参照する第１登録宛先情報のデータ構成図である。
【図２６】図２６は、本発明の第１実施形態に係る画像処理装置が参照する第２登録宛先情報のデータ構成図である。
【図２７】図２７は、本発明の第２実施形態に係る画像処理装置が実行するファクシミリ送信処理の手順の一例を表すフローチャートである。
【発明を実施するための形態】
【００１２】
以下、添付図面を参照しながら、本発明の実施形態について説明する。なお、以下の実施形態は、本発明を具体化した一例であって、本発明の技術的範囲を限定する性格を有さない。
【００１３】
［第１実施形態：ファクシミリ通信システム］
まず、図１を参照しつつ、第１実施形態に係る画像処理装置１０を含むファクシミリ通信システムの概略構成について説明する。
【００１４】
図１が示すように前記ファクシミリ通信システムは、画像処理装置１０と端末装置７とを含む。画像処理装置１０は、ファクシミリ受信機能およびファクシミリ送信機能を含むファクシミリ通信機能を備えた装置である。
【００１５】
画像処理装置１０は、相手側の画像処理装置１０との間で第１通信回線１０１を通じてファクシミリ通信が可能である。第１通信回線１０１は、例えば公衆交換電話網である。また、第１通信回線１０１が、ＶｏＩＰ（Voice Over Internet Protocol）によって接続されるインターネット回線であることも考えられる。
【００１６】
以下の説明において、２つの画像処理装置１０が第１通信回線１０１を通じてファクシミリ通信を行う場合において、一方の画像処理装置１０を主体としたときの他方の画像処理装置１０のことを相手側装置１０ｘと称する。
【００１７】
さらに、画像処理装置１０は、第１通信回線１０１とは異なる第２通信回線１０２を通じて他の端末装置７と通信可能である。第２通信回線１０２は、例えばＬＡＮ（Local Aria Network）である。
【００１８】
前記ファクシミリ受信機能は、第１通信回線１０１を通じて相手側装置１０ｘからファクシミリデータを受信する機能と、受信した前記ファクシミリデータを記憶する機能と、シート状の画像記録媒体上に受信した前記ファクシミリデータの画像を形成する機能とを含む。相手側装置１０ｘから受信されるファクシミリデータのことを受信ファクシミリデータＤ００と称する。
【００１９】
前記ファクシミリ送信機能は、送信用の画像の元データを取得する機能と、前記元データまたは前記元データを加工したデータをファクシミリデータとして第１通信回線１０１を通じて相手側装置１０ｘへ送信する機能とを備える。例えば、画像処理装置１０は、原稿の画像を読み取ることによって送信用の前記元データを取得する。
【００２０】
さらに、画像処理装置１０は、端末装置７から第２通信回線１０２を通じてファクシミリ送信ジョブデータＤ０１を取得する機能も備える。ファクシミリ送信ジョブデータＤ０１は、ファクシミリ送信用の画像データの元になる前記元データの一例である。ファクシミリ送信ジョブデータＤ０１は、画像処理部６０によってファクシミリ送信用の画像データであるファクシミリデータへ変換される。
【００２１】
さらに、画像処理装置１０が端末装置７からファクシミリ送信ジョブデータＤ０１を取得し、そのファクシミリ送信ジョブデータＤ０１に基づくファクシミリデータを相手側装置１０ｘに送信する処理のことをファクシミリ送信中継処理と称する。
【００２２】
端末装置７は、パーソナルコンピューター、タブレットコンピューターまたはスマートフォンなどの情報処理装置である。端末装置７は、本体部７ａ、端末表示部７ｂおよび操作入力部７ｃを備える。
【００２３】
本体部７ａは、各種の演算を実行するＣＰＵおよび第２通信回線１０２を通じて画像処理装置１０との通信を実行する通信部と含む。端末表示部７ｂは、本体部７ａから出力される情報を表示する液晶表示装置などのディスプレーである。操作入力部７ｃは、ユーザーの操作に応じた入力情報を本体部７ａへ出力するキーボードおよびマウスなどの情報入力用の操作部である。
【００２４】
［画像処理装置１０の構成］
次に、図２，３を参照しつつ、画像処理装置１０の構成について説明する。図２が示す画像処理装置１０は、ファクシミリ装置の機能に加え、スキャナー機能およびプリンター機能を備える複合機である。
【００２５】
前記スキャナー機能は、原稿を走査することによって前記原稿の画像を読み取り、原稿画像データを記憶する機能および端末装置７へ送信する機能を含む。前記プリンター機能は、端末装置７からプリントジョブデータを取得し、そのプリントジョブデータに基づく画像を前記画像記録媒体上に形成する機能を含む。
【００２６】
画像処理装置１０は、主制御部１、操作表示部２、スキャン部２０、スキャン制御部３０、プリント部４０、プリント制御部５０、画像処理部６０、第１通信部７０および第２通信部８０などを備える。
【００２７】
主制御部１、スキャン制御部３０、プリント制御部５０、画像処理部６０、第１通信部７０および第２通信部８０は、それぞれバス９に接続されおり、バス９を通じて相互にデータの受け渡しが可能である。
【００２８】
スキャン部２０は、前記原稿に光を走査する不図示の光学系、および原稿からの反射光の光量を画素ごとに検出して原稿画像データを出力する不図示のイメージセンサーなどを備える。
【００２９】
スキャン制御部３０は、スキャン部２０を制御して前記原稿画像データを取得する。さらに、スキャン制御部３０は、バス９を通じて前記原稿画像データを画像処理部６０などの他の機器に転送する。
【００３０】
プリント部４０は、周知の電子写真方式の画像形成処理によって前記画像記録媒体に画像を形成する。プリント部４０は、不図示の像担持体およびその周辺機器を備え、前記像担持体から前記画像記録媒体に現像剤の画像を転写するとともにその画像を前記画像記録媒体に定着させる。
【００３１】
プリント制御部５０は、画像処理部６０から記録用画像データを取得し、前記記録用画像データ基づく画像を前記記録シートに形成する処理をプリント部４０に実行させる。
【００３２】
第１通信部７０は、第１通信回線１０１を通じて相手側装置１０ｘとの間でファクシミリ通信によるデータの送受信を行う通信インターフェイスである。例えば、第１通信部７０はモデムなどである。さらに、第１通信部７０は、バス９を通じて画像処理装置１０の他の機器とデータの受け渡しを行う。
【００３３】
第２通信部８０は、第２通信回線１０２を通じて端末装置７などの外部装置との間でデータの送受信を行う通信インターフェイスである。さらに、第２通信部８０は、バス９を通じて画像処理装置１０の他の機器とデータの受け渡しを行う。
【００３４】
画像処理部６０は、バス９を通じて他の機器から得た画像データなどに対する各種のデータ処理を実行する。画像処理部６０によるデータ処理の対象は、例えば、スキャン制御部３０から得られる前記原稿画像データまたは端末装置７から第２通信部８０を通じて得られる前記プリントジョブデータおよびファクシミリ送信ジョブデータＤ０１などである。
【００３５】
例えば、画像処理部６０は、ファクシミリ送信ジョブデータＤ０１をファクシミリ送信用の前記ファクシミリデータへ変換する処理を実行する。また、画像処理部６０は、スキャン制御部３０から得られる前記原稿画像データおよび第２通信部８０から得られる前記プリントジョブデータを前記記録用画像データへ変換し、プリント制御部５０へ転送する処理なども実行する。さらに、画像処理部６０は、スキャン制御部３０から得られる前記原稿画像データに対し、画像回転処理、ハーフトーン処理またはサイズカット処理などの画像処理を施す機能も備える。
【００３６】
図３が示すように、操作表示部２は、タッチパネル２１０および操作ボタンなどを含む情報入力用の操作部２１と、液晶表示パネルおよび通知ランプなどを含む表示部２２とを含む。タッチパネル２１０は、表示部２２のパネルの表面に形成されている。
【００３７】
主制御部１は、他の制御部を統括して制御する。例えば、主制御部１は、表示部２２に操作メニューなどを表示させる。さらに、主制御部１は、操作部２１の操作を通じて入力される入力情報および各種センサーの検出結果に応じて他の制御部に制御指令を出力する。図２が示すように、主制御部１は、ＭＰＵ（Micro Processor Unit）１１、第１記憶部１２および第２記憶部１３などを備える。
【００３８】
ＭＰＵ１１は、各種の演算およびデータ処理を実行するプロセッサーである。第１記憶部１２は、ＭＰＵ１１に各種の処理を実行させるためのプログラムおよびＭＰＵ１１が参照するその他の各種情報を記憶する不揮発性の記憶部である。例えば、第１記憶部１２がＲＯＭ（Read Only Memory）であることが考えられる。
【００３９】
また、第２記憶部１３は、ＭＰＵ１１によって各種情報の読み書きが可能なフラッシュメモリーまたはハードディスクなどの記憶部である。例えば、第２記憶部１３は、登録ユーザー情報Ｄ１および登録宛先情報Ｄ２を記憶する。本実施形態において、第２記憶部１３は、受信ファクシミリデータＤ００およびファクシミリ送信ジョブデータＤ０１を記憶する記憶部を兼ねる。
【００４０】
登録ユーザー情報Ｄ１は、画像処理装置１０のユーザーに関する情報である。登録宛先情報Ｄ２は、ファクシミリ送信の宛先に関する情報、即ち、ファクシミリ送信の相手側装置１０ｘおよびそのユーザーに関する情報である。登録ユーザー情報Ｄ１および登録宛先情報Ｄ２は、ユーザーによる自装置の操作部２１に対する操作により、または、端末装置７からのデータ取得によって予め設定される情報である。
【００４１】
図２３，２４は、登録ユーザー情報Ｄ１のデータ構造の一例を示す。本実施形態における登録ユーザー情報Ｄ１は、第１登録ユーザー情報Ｄ１１および第２登録ユーザー情報Ｄ１２を含む。図２３は、第１登録ユーザー情報Ｄ１１のデータ構造の一例を示し、図２４は、第２登録ユーザー情報Ｄ１２のデータ構造の一例を示す。
【００４２】
第１登録ユーザー情報Ｄ１１は、相互に対応づけられたユーザー認証情報Ｄ１１０、受信フォルダー情報Ｄ１１１、送信フォルダー情報Ｄ１１２、親展識別子Ｄ１１３、端末ユーザー識別子Ｄ１１４およびその他のユーザー属性情報Ｄ１１５などを含む。ユーザー属性情報Ｄ１１５は、例えば、ユーザーの名前、部署名および電話番号などを含む。
【００４３】
ユーザー認証情報Ｄ１１０は、自装置のユーザーを識別する情報である。例えば、ユーザー認証情報Ｄ１１０は、表示部２２を通じた開示が許容されるユーザー識別子Ｄ１１０１と、開示されない秘匿識別子の一例であるパスワードＤ１１０２を含む。
【００４４】
受信フォルダー情報Ｄ１１１は、第２記憶部１３における受信ファクシミリデータＤ００の保存先のフォルダーを特定する情報である。送信フォルダー情報Ｄ１１２は、第２記憶部１３におけるファクシミリ送信ジョブデータＤ０１の保存先のフォルダーを特定する情報である。
【００４５】
親展識別子Ｄ１１３は、前記親展指定の受信ファクシミリデータＤ００の受取者を識別する親展受取者識別情報の一例である。後述するように、画像処理装置１０は、親展指定の受信ファクシミリデータＤ００を受信する場合に親展識別子Ｄ１１３を参照する。
【００４６】
端末ユーザー識別子Ｄ１１４は、自装置のユーザーに相当する端末装置７のユーザーを識別する情報である。端末装置７は、端末ユーザー識別子Ｄ１１４を含むファクシミリ送信ジョブデータＤ０１を画像処理装置１０に送信する。
【００４７】
画像処理装置１０は、ファクシミリ送信ジョブデータＤ０１に含まれる端末ユーザー識別子Ｄ１１４と第１登録ユーザー情報Ｄ１１の端末ユーザー識別子Ｄ１１４とを照合することにより、ファクシミリ送信ジョブデータＤ０１の送信者に対応するユーザー識別子Ｄ１１０１および送信フォルダー情報Ｄ１１２などを特定する。
【００４８】
第２登録ユーザー情報Ｄ１２は、端末装置７およびそのユーザーに関する情報である。第２登録ユーザー情報Ｄ１２は、相互に対応づけられた端末ユーザー識別子Ｄ１１４および端末アドレス情報Ｄ１２０などを含む。
【００４９】
端末アドレス情報Ｄ１２０は、端末ユーザー識別子Ｄ１１４に相当するユーザーが使用する端末装置７の第２通信回線１０２上のアドレス情報である。なお、第２登録ユーザー情報Ｄ１２が、端末装置７の名称などの情報を含むことも考えられる。
【００５０】
第１登録ユーザー情報Ｄ１１および第２登録ユーザー情報Ｄ１２各々における端末ユーザー識別子Ｄ１１４により、受信フォルダー情報Ｄ１１１および親展識別子Ｄ１１３などと端末アドレス情報Ｄ１２０とが対応づけられている。
【００５１】
図２５，２６は、登録宛先情報Ｄ２のデータ構造の一例を示す。本実施形態における登録宛先情報Ｄ２は、第１登録宛先情報Ｄ２１および第２登録宛先情報Ｄ２２を含む。図２５は、第１登録宛先情報Ｄ２１のデータ構造の一例を示し、図２６は、第２登録宛先情報Ｄ２２のデータ構造の一例を示す。
【００５２】
第１登録宛先情報Ｄ２１は、相手側装置１０ｘの第１通信回線１０１上のアドレス情報およびその関連情報である。図２５が示す例では、第１登録宛先情報Ｄ２１は、相互に対応づけられたファクス番号コードＤ２１０、ファクス番号Ｄ２１１および会社名情報Ｄ２１２を含む。ファクス番号コードＤ２１０は、ファクス番号Ｄ２１１各々を識別する情報である。
【００５３】
第２登録宛先情報Ｄ２２は、相手側装置１０ｘのユーザーに関する情報である。図２６が示す例では、第２登録宛先情報Ｄ２２は、相互に対応づけられた親展識別子Ｄ２２０、ファクス番号コードＤ２１０および受信者属性情報Ｄ２２１などを含む。受信者属性情報Ｄ２２１は、例えば受信者名情報Ｄ２２１１および受信者の部署情報Ｄ２２１２などを含む。
【００５４】
第１登録宛先情報Ｄ２１および第２登録宛先情報Ｄ２２各々におけるファクス番号コードＤ２１０により、ファクス番号Ｄ２１１と親展識別子Ｄ２２０および受信者属性情報Ｄ２２１とが対応づけられている。
【００５５】
ところで、ファクシミリ通信機能を備える一般的な画像処理装置において、親展指定の前記ファクシミリデータの送受信が行われる際、送信側および受信側の一方のユーザーが、他方のユーザーに対して秘匿化に用いられるパスワードなどの秘匿化鍵情報を通知する必要がある。
【００５６】
一般に、前記秘匿化鍵情報は、受信側のユーザーごとに設定されるため、ユーザーごとに前記秘匿化鍵情報の通知を行うことはユーザーにとって煩雑である。
【００５７】
さらに、前記秘匿化鍵情報を随時変更することが推奨されるため、前記秘匿化鍵情報の変更が生じるごとに前記秘匿化鍵情報の通知を行うこともユーザーにとって煩雑である。
【００５８】
一方、画像処理装置１０が採用されれば、親展指定の前記ファクシミリデータが送受信される際に、送信側および受信側の一方のユーザーが他方のユーザーに対して前記秘匿化鍵情報を通知する手間を省略できる。以下、その詳細について説明する。
【００５９】
［ファクシミリ送信依頼・中継処理］
図４が示すフローチャートを参照しつつ、画像処理装置１０が実行する前記ファクシミリ送信中継処理および端末装置７が実行するファクシミリ送信依頼処理の手順の一例について説明する。
【００６０】
以下の説明において、Ｓ１０１〜Ｓ１０６は、端末装置７の本体部７ａが実行する各工程の識別符号を表す。より具体的には、本体部７ａのＣＰＵが、画像処理装置１０に対応したドライバーソフトウェアを実行することにより、工程Ｓ１０１〜Ｓ１０６の処理を実行する。
【００６１】
［ファクシミリ送信依頼処理］
まず、端末装置７における前記ファクシミリ送信依頼処理の手順の一例について説明する。端末装置７の前記ＣＰＵは、アプリケーションソフトウェアを実行中に、操作入力部７ｃを通じて印刷メニューにおけるファクシミリ送信の項目が選択されたことを検知した場合に、前記ファクシミリ送信依頼処理を実行する。
【００６２】
＜工程Ｓ１０１＞
前記ファクシミリ送信依頼処理において、まず、端末装置７は、画像処理装置１０に対して登録宛先情報Ｄ２の要求コマンドを送信する。この要求コマンドには、端末ユーザー識別子Ｄ１１４が含まれる。
【００６３】
＜工程Ｓ１０２＞
さらに、端末装置７は、登録宛先情報Ｄ２の前記要求コマンドに対して返信される登録宛先情報Ｄ２を取得する。
【００６４】
＜工程Ｓ１０３，Ｓ１０４＞
次に、端末装置７は、操作入力部７ｃに対する操作に応じて、前記ファクシミリ送信の宛先情報とその他の送信条件とを設定する（Ｓ１０４）。その際、端末装置７は、例えば、図７〜９に示されるような画面によって登録宛先情報Ｄ２を前記ファクシミリ送信の宛先情報の選択候補として提示しつつ（Ｓ１０３）、前記宛先情報および前記送信条件の設定処理を実行する（Ｓ１０４）。
【００６５】
図７，８は、端末装置７におけるファクシミリ宛先設定画面ｇ１の初期状態および設定途中状態の各々の一例を示す。また、図９は、端末装置７におけるファクシミリ送信条件設定画面ｇ２の一例を示す。
【００６６】
図７，８が示すように、端末装置７は、端末表示部７ｂを通じて、登録宛先情報Ｄ２を前記ファクシミリ送信の宛先情報の選択候補として提示しつつ、操作入力部７ｃに対する選択操作に従って前記ファクシミリ送信の前記宛先情報を設定する。
【００６７】
図７，８が示す例では、ファクシミリ宛先設定画面ｇ１は、宛先とするファクス番号Ｄ２１１を選択するためのファクス番号選択欄ｇ１１と、受信側のユーザーを選択するための受信者選択欄ｇ１２とを含む。
【００６８】
さらに、図７，８が示す例では、前記ファクシミリ送信について親展指定とするか否かを選択するための親展指定欄ｇ１３も含む。なお、ファクシミリ宛先設定画面ｇ１が表示されているときに、操作入力部７ｃを通じて相手のファクス番号を直接入力することも可能である。なお、前記親展指定の有無の情報は、前記送信条件の一例である。
【００６９】
また、図９が示す例では、ファクシミリ送信条件設定画面ｇ２は、前記ファクシミリ送信について編集送信モードを設定するか否かを選択するための編集送信モード設定欄ｇ２１を含む。前記編集送信モードは、前記送信条件の一例である。
【００７０】
後述するように、画像処理装置１０は、前記編集送信モードが設定されたファクシミリ送信ジョブデータＤ０１を端末装置７から受信した場合、そのファクシミリ送信ジョブデータＤ０１が表す画像に他の画像を付加した画像のデータをファクシミリデータとして送信する。
【００７１】
また、ファクシミリ送信ジョブデータＤ０１に設定可能な前記送信条件として、前記ファクシミリ送信の日時の指定なども考えられる。
【００７２】
＜工程Ｓ１０５＞
端末装置７は、前記ファクシミリ送信の前記宛先情報および前記送信条件の設定が確定するまで、工程Ｓ１０３，Ｓ１０４の処理を実行する。例えば、端末装置７は、ファクシミリ宛先設定画面ｇ１またはファクシミリ送信条件設定画面ｇ２における確定操作アイコンｇ０１に対する操作を検知した場合に、前記宛先情報および前記送信条件の設定が確定したと判定する。
【００７３】
＜工程Ｓ１０６＞
前記ファクシミリ送信の前記宛先情報および前記送信条件の設定が確定すると、端末装置７は、画像処理装置１０に対してファクシミリ送信ジョブデータＤ０１を送信する。ファクシミリ送信ジョブデータＤ０１には、端末ユーザー識別子Ｄ１１４が含まれる。以上により、端末装置７側の処理が終了する。
【００７４】
なお、後述するように、工程Ｓ１０１、Ｓ１０６において画像処理装置１０に送信される端末ユーザー識別子Ｄ１１４は、画像処理装置１０側での端末ユーザー認証に用いられる。工程Ｓ１０１，Ｓ０６において、端末装置７は、画像処理装置１０から前記端末ユーザー認証の失敗の通知を受信した場合、端末表示部７ｂにエラー通知を出力した後、前記ファクシミリ送信依頼処理を中断する。図４において、前記端末ユーザー認証の失敗の際の処理の記載は省略されている。
【００７５】
［前記ファクシミリ送信中継処理］
次に、画像処理装置１０側の前記ファクシミリ送信中継処理の手順の一例について説明する。以下の説明において、Ｓ２０１〜Ｓ２１０は、画像処理装置１０における主制御部１のＭＰＵ１１が実行する各工程の識別符号を表す。主制御部１は、ＭＰＵ１１が第１記憶部１２に予め記憶されたファクシミリ送信中継プログラムＰｒ１を実行することにより、工程Ｓ２０１〜Ｓ２１０の処理を実行する。
【００７６】
画像処理装置１０における第１通信部７０および第２通信部８０が通信可能になったときに、主制御部１は、前記ファクシミリ送信中継処理を実行する。
【００７７】
＜工程Ｓ２０１，Ｓ２０５＞
前記ファクシミリ送信中継処理において、まず、主制御部１は、端末装置７から第２通信部８０を通じて登録宛先情報Ｄ２の要求またはファクシミリ送信ジョブデータＤ０１が受信されるか否かを監視する。
【００７８】
＜工程Ｓ２０２＞
主制御部１は、端末装置７から登録宛先情報Ｄ２の要求を受信した場合、その要求に含まれる端末ユーザー識別子Ｄ１１４を用いた前記端末ユーザー認証の処理を実行する。前記端末ユーザー認証において、主制御部１は、端末装置７から受信した端末ユーザー識別子Ｄ１１４と予め第２記憶部１３に記憶された登録ユーザー情報Ｄ１の端末ユーザー識別子Ｄ１１４とを照合することにより、前記端末ユーザー認証の成否を判定する。
【００７９】
＜工程Ｓ２０３＞
工程Ｓ２０２の前記端末ユーザー認証が成功した場合、主制御部１は、第２記憶部１３の登録宛先情報Ｄ２を参照し、端末装置７における前記宛先情報の候補となる情報を第２記憶部１３から読み出す。
【００８０】
＜工程Ｓ２０４＞
さらに、主制御部１は、第２記憶部１３から読み出した登録宛先情報Ｄ２を、その要求元である端末装置７へ送信する。
【００８１】
＜工程Ｓ２０６＞
主制御部１は、端末装置７からファクシミリ送信ジョブデータＤ０１を受信した場合、そのデータに含まれる端末ユーザー識別子Ｄ１１４を用いた前記端末ユーザー認証の処理を実行する。工程Ｓ２０６の前記端末ユーザー認証の処理は、工程Ｓ２０２の処理と同様である。
【００８２】
＜工程Ｓ２０７＞
工程Ｓ２０６の前記端末ユーザー認証が成功した場合、主制御部１は、第２通信回線１０２を通じて端末装置７からファクシミリ送信ジョブデータＤ０１を取得し、そのデータを第２記憶部１３に一時記憶させる。なお、ファクシミリ送信ジョブデータＤ０１は送信用の前記ファクシミリデータの元データの一例であり、工程Ｓ２０７の処理を実行する主制御部１は元データ取得部の一例である。
【００８３】
＜工程Ｓ２０８＞
次に、主制御部１は、端末装置７から取得したファクシミリ送信ジョブデータＤ０１に前記編集送信モードが設定されているか否かを判定する。
【００８４】
＜工程Ｓ２０９＞
前記編集送信モードがファクシミリ送信ジョブデータＤ０１に設定されている場合、主制御部１は、端末装置７から取得したファクシミリ送信ジョブデータＤ０１を第２記憶部１３に保存する。以下、前記編集送信モードが設定されたファクシミリ送信ジョブデータＤ０１のことを送信用保留データＤ０２と称する。送信用保留データＤ０２は送信用データの一例である。
【００８５】
工程Ｓ２０９において、主制御部１は、登録ユーザー情報Ｄ１を参照し、ファクシミリ送信ジョブデータＤ０１に含まれる端末ユーザー識別子Ｄ１１４に対応する送信フォルダー情報Ｄ１１２を特定する。さらに、主制御部１は、特定した送信フォルダー情報Ｄ１１２が示すデータフォルダーに送信用保留データＤ０２を保存する。
【００８６】
後述するように、送信用保留データＤ０２は、画像処理装置１０における送信用データ編集処理によって加工され、加工後のデータがファクシミリデータとして相手側装置１０ｘへ送信される。これにより、元のファクシミリ送信ジョブデータＤ０１が表す画像に他の画像が付加された画像のデータが前記ファクシミリデータとして相手側装置１０ｘへ送信される。その詳細については後述する。
【００８７】
＜工程Ｓ２１０＞
一方、前記編集送信モードがファクシミリ送信ジョブデータＤ０１に設定されていない場合、主制御部１は、後述するファクシミリ送信処理を実行する。この場合、主制御部１は、ファクシミリ送信ジョブデータＤ０１が表す画像のデータが前記ファクシミリデータとして相手側装置１０ｘへ送信される。
【００８８】
工程Ｓ２０４、工程Ｓ２０９または工程Ｓ２１０の処理が終了すると、主制御部１は、処理を工程Ｓ２０１へ戻す。
【００８９】
なお、工程Ｓ２０１，Ｓ２０６において、前記端末ユーザー認証が失敗した場合、主制御部１は、登録宛先情報Ｄ２の要求元に対して前記端末ユーザー認証の失敗の通知を送信し、処理を工程Ｓ２０１へ戻す。図４において、前記端末ユーザー認証の失敗の際の処理の記載は省略されている。
【００９０】
［前記送信用データ編集処理］
次に、図５のフローチャートを参照しつつ、画像処理装置１０における前記送信用データ編集処理の手順の一例について説明する。前記送信用データ編集処理は、自装置の操作部２１に対する操作に従って送信用保留データＤ０２に付加するための付加画像を入力し、その付加画像が付加された画像を表すデータを新たな送信用保留データＤ０２として生成する処理である。
【００９１】
なお、前記送信用データ編集処理を実行する主制御部１は、前記元データの画像に他の画像が付加された画像を表す送信用保留データＤ０２を生成する送信用データ生成部の一例である。
【００９２】
主制御部１は、画像処理装置１０のユーザー認証処理が成功した上で、予め定められた編集開始操作が操作部２１になされたときに、前記送信用データ編集処理を開始する。
【００９３】
画像処理装置１０の前記ユーザー認証処理は、操作部２１を通じて入力されるユーザー認証情報Ｄ１１０と予め第２記憶部１３に記憶された登録ユーザー情報Ｄ１のユーザー認証情報Ｄ１１０とを照合する処理である。
【００９４】
前記送信用データ編集処理において、成功した前記ユーザー認証処理に用いられたユーザー認証情報Ｄ１１０に対応する送信フォルダー情報Ｄ１１２のデータフォルダーに保存された送信用保留データＤ０２が編集の対象となる。
【００９５】
以下の説明において、Ｓ３１０，Ｓ３２０，Ｓ３３０，…は、画像処理装置１０における主制御部１のＭＰＵ１１が実行する各工程の識別符号を表す。主制御部１は、ＭＰＵ１１が第１記憶部１２に予め記憶された送信用データ編集プログラムＰｒ２を実行することによって図５に示される各工程の処理を実行する。
【００９６】
＜工程Ｓ３１０＞
前記送信用データ編集処理において、主制御部１は、操作部２１に対する操作に従って編集内容選択処理を実行する。その際、主制御部１は、例えば図１０が示すようなデータ編集内容選択画面ｇ３を表示部２２に表示させる。
【００９７】
前記編集内容選択処理は、送信用保留データＤ０２が表す画像に対する画像の付加方法を選択する処理である。本実施形態では、前記付加方法に相当する動作モードの選択肢は、ページ付加モードおよび画像合成モードである。
【００９８】
前記ページ付加モードは、送信用保留データＤ０２が表す画像に新たなページの画像を表す付加ページデータを生成し、送信用保留データＤ０２に前記付加ページデータを付加することにより前記ファクシミリ送信用データを生成する動作モードである。
【００９９】
一方、前記画像合成モードは、送信用保留データＤ０２を、その送信用保留データＤ０２の画像に付加画像を合成した画像を表すデータに加工することにより、前記ファクシミリ送信用データを生成する動作モードである。
【０１００】
図１０が示す例では、主制御部１は、データ編集内容選択画面ｇ３におけるページ付加操作アイコンｇ３１および画像合成アイコンｇ３２の各々に対する操作に応じて、前記ページ付加モードまたは前記画像合成モードを選択する。
【０１０１】
また、図１０が示す例では、秘匿ページ設定アイコンｇ３３が、データ編集内容選択画面ｇ３に含まれる。秘匿ページ設定アイコンｇ３３は、送信用保留データＤ０２が親展指定である場合に実行可能な秘匿ページ設定処理を開始するための操作アイコンである。前記秘匿ページ設定処理については後述する。
【０１０２】
＜工程Ｓ３２０＞
工程Ｓ３１０において前記ページ付加モードが選択されると、主制御部１は、操作部２１に対する操作に従って前記付加ページデータの種類を選択する付加ページ選択処理を実行する。本実施形態における前記付加ページデータの種類の選択肢は、スキャン画像データおよびテンプレートページデータである。
【０１０３】
前記スキャン画像データは、スキャン部２０によって前記原稿から読み取られる画像のページデータである。前記付加ページデータとして採用される前記スキャン画像データは、前記送信用データ編集処理の途中でスキャン部２０により生成される。
【０１０４】
前記テンプレートページデータは、予め設定されたページ画像のデータである。前記テンプレートページデータは、前記送信用データ編集処理の開始前に、予め第２記憶部１３に保存されるデータである。前記テンプレートページデータは、例えば、端末装置７から画像処理装置１０へ送信されるデータまたはスキャン部２０により生成される画像データなどである。
【０１０５】
また、主制御部１が、予め設定された前記テンプレートページデータにユーザー属性情報Ｄ１１５などを自動的に合成することも考えら得る。この場合、合成後の前記テンプレートデータが、前記付加ページデータの種類の選択肢として提供される。
【０１０６】
前記付加ページ選択処理において、主制御部１は、例えば図１１が示すようなページ付加画面ｇ４を表示部２２に表示させる。図１１が示す例では、主制御部１は、ページ付加画面ｇ４における原稿画像スキャンアイコンｇ４１およびテンプレート付加アイコンｇ４２の各々に対する操作に応じて、前記付加ページデータの種類を選択する。
【０１０７】
＜工程Ｓ３２１＞
前記スキャン画像データが前記付加ページデータの種類として選択された場合、主制御部１は、スキャン制御部３０を通じてスキャン部２０に原稿画像読取処理を実行させる。
【０１０８】
例えば、工程Ｓ３２１において、主制御部１は、図１２が示すような原稿スキャン通知ｇ４４を含むページ付加画面ｇ４を表示部２２に表示させることにより、ユーザーに対して前記原稿画像読取処理を開始する操作を促す。
【０１０９】
工程Ｓ３２１において、主制御部１は、操作部２１に対する前記原稿画像読取処理の開始操作を検知すると、スキャン制御部３０を通じてスキャン部２０に前記原稿画像読取処理を実行させる。これにより、前記原稿から読み取られた画像を表す前記スキャン画像データが前記付加ページデータとして生成される。
【０１１０】
＜工程Ｓ３２２＞
一方、前記テンプレートページデータが前記付加ページデータの種類として選択された場合、主制御部１は、テンプレート選択処理を実行する。前記テンプレート選択処理は、操作部２１に対する選択操作に従って、予め第２記憶部１３に記憶された複数の前記テンプレートページデータの候補の中から前記付加ページデータとするものを選択する処理である。
【０１１１】
例えば、前記テンプレートページデータの候補が、ファクシミリ送信のカバーページのデータを含むことが考えられる。この場合、主制御部１が、予め設定された前記カバーページの一部に、端末装置７からの受信または登録ユーザー情報Ｄ１の参照によって得られるユーザーの名前および電話番号などのユーザー情報を合成することによって前記テンプレートページデータの候補を生成する機能を備えることも考えられる。
【０１１２】
例えば、工程Ｓ３２２において、主制御部１は、図１４が示すようなテンプレート選択メニューｇ４５を含むページ付加画面ｇ４を表示部２２に表示させる。この場合、主制御部１は、テンプレート選択メニューｇ４５におけるデータ選択欄ｇ４６および確定アイコンｇ４７に対する操作に従って前記付加ページデータとする前記テンプレートページデータを選択する。
【０１１３】
また、図１３，１４が示すように、主制御部１は、工程Ｓ３２１，Ｓ３２２において、原稿スキャンまたは選択操作により得られた前記付加ページデータのプレビュー画像ｇ４０を表示部２２に表示させる。図１３は、前記テンプレートページデータのプレビュー画像ｇ４０が表示される例を示し、図１４は、前記スキャン画像データのプレビュー画像ｇ４０が表示される例を示す。
【０１１４】
＜工程Ｓ３２３＞
工程Ｓ３２１または工程Ｓ３２２において前記付加ページデータが得られると、主制御部１は、操作部２１に対する操作に従って、送信用保留データＤ０２に対して前記付加ページデータを付加する位置を設定する。
【０１１５】
例えば、工程Ｓ３２３において、主制御部１は、図１５が示すようなページ付加位置設定画面ｇ５を表示部２２に表示させる。この場合、主制御部１は、ページ付加位置設定画面ｇ５におけるページ付加位置選択アイコンｇ５１および確定操作アイコンｇ５２に対する操作に従って、前記付加ページデータを付加する位置を設定する。
【０１１６】
図１５が示す例では、前記付加ページデータを付加する位置の選択肢は、端末装置７から得られる送信用保留データＤ０２の前または後である。
【０１１７】
＜工程Ｓ３２４＞
さらに、主制御部１は、前記付加ページデータが送信用保留データＤ０２における指定位置に付加されたデータを生成し、送信用保留データＤ０２を、本工程で生成したデータに更新する。更新後の送信用保留データＤ０２は、元のファクシミリ送信ジョブデータＤ０１の画像に前記付加ページデータの画像が付加された画像を表すデータである。
【０１１８】
なお、元のファクシミリ送信ジョブデータＤ０１における前記親展指定の有無は、送信用保留データＤ０２に引き継がれる。従って、元のファクシミリ送信ジョブデータＤ０１が前記親展指定のデータである場合、送信用保留データＤ０２も前記親展指定のデータである。
【０１１９】
以上に示したように、主制御部１は、工程Ｓ３２０〜Ｓ３２５において、元のファクシミリ送信ジョブデータＤ０１に新たなページの画像を表す前記付加ページデータを付加することにより送信用保留データＤ０２を生成する。工程Ｓ３２０〜Ｓ３２５の処理を実行する主制御部１は、ページ付加部の一例である。
【０１２０】
＜工程Ｓ３２５＞
次に、主制御部１は、送信用保留データＤ０２が前記親展指定のデータである場合、前記送信用データについて秘匿ページを設定する前記秘匿ページ設定処理を実行する。なお、送信用保留データＤ０２が前記親展指定のデータではない場合、主制御部１は工程Ｓ３２５をスキップする。
【０１２１】
本実施形態において、主制御部１は、前記ページ付加モードの処理が行われるときに前記秘匿ページ設定処理を実行する。さらに、主制御部１は、図１０が示すデータ編集内容選択画面ｇ３の秘匿ページ設定アイコンｇ３３が操作されたとき、即ち、工程Ｓ３１０において前記秘匿ページ設定処理の開始操作を検知したときにも、前記秘匿ページ設定処理を実行する。
【０１２２】
前記秘匿ページ設定処理は、前記親展指定の送信用保留データＤ０２における秘匿化の対象とするページを設定する処理である。以下の説明において、送信用保留データＤ０２における秘匿化の対象とするページのことを秘匿ページと称する。
【０１２３】
本実施形態においては、前記親展指定の送信用保留データＤ０２は、秘匿化されずにファクシミリデータとして相手側装置１０ｘへ送信され、相手側装置１０ｘが、受信した前記ファクシミリデータにおける前記秘匿ページのデータを秘匿化する。その詳細については後述する。
【０１２４】
例えば、工程Ｓ３２５において、主制御部１は、図１６が示すような秘匿ページ設定画面ｇ６を表示部２２に表示させる。この場合、主制御部１は、秘匿ページ設定画面ｇ６におけるページ選択アイコンｇ６１および確定操作アイコンｇ６２に対する操作に従って前記秘匿ページを設定する。
【０１２５】
図１６が示す例では、前記秘匿ページの候補は、次の２つの候補を含む。第１候補は、端末装置７から得られたファクシミリ送信ジョブデータＤ０１の全ページのみである。第２候補は、画像処理装置１０が付加した前記付加ページデータの全ページのみである。
【０１２６】
さらに、図１６が示す例では、前記秘匿ページの候補は、次の３つの候補も含む。第３候補は、送信用保留データＤ０２における全てのページである。第４候補は、送信用保留データＤ０２における最初のページから指定されたページ分である。第５候補は、送信用保留データＤ０２における最後のページから指定されたページ分である。
【０１２７】
主制御部１は、前記ページ付加モードが選択された場合の処理（Ｓ３２０〜Ｓ３２５）が終了すると、処理を工程Ｓ３１０へ戻す。
【０１２８】
＜工程Ｓ３３０＞
工程Ｓ３１０において前記画像合成モードが選択されると、主制御部１は、その時点における送信用保留データＤ０２のプレビュー画像ｇ７０を表示させる。
【０１２９】
例えば、工程Ｓ３３０において、主制御部１は、図１７が示すような画像合成ページ設定画面ｇ７を表示部２２に表示させる。画像合成ページ設定画面ｇ７は、送信用保留データＤ０２のプレビュー画像ｇ７０を含む。
【０１３０】
＜工程Ｓ３３１＞
さらに、主制御部１は、操作部２１に対する操作に従って、送信用保留データＤ０２における前記付加画像を合成するページを選択する。
【０１３１】
例えば、工程Ｓ３３１において、主制御部１は、図１７が示すような画像合成ページ設定画面ｇ７におけるページ指定欄ｇ７１および確定操作アイコンｇ７２に対する操作に従って前記付加画像を合成するページを設定する。
【０１３２】
＜工程Ｓ３３２＞
次に、主制御部１は、送信用保留データＤ０２の画像に合成する前記付加画像の種類を選択する合成画像選択処理を実行する。本実施形態における前記付加画像の種類の選択肢は、手書き画像ｇ８０１０、マークｇ８０２０およびテキストｇ８０３０である（図１９，図２１および図２２参照）。
【０１３３】
前記手書き画像は、操作部２１のタッチパネル２１０に対する手書き描画によって入力される画像である。前記マークは、予め設定された複数の候補から選択される線状画像、ハッチング画像またはその他の絵の画像などである。前記テキストは、任意に入力される文字列の画像である。
【０１３４】
例えば、主制御部１は、図１８が示すような合成画像選択画面ｇ８を表示部２２に表示させる。この場合、主制御部１は、合成画像選択画面ｇ８における手書き画像選択アイコンｇ８１、マーク選択アイコンｇ８２、テキスト選択アイコンｇ８３および確定操作アイコンｇ８４に対する操作に従って前記付加画像の種類を選択する。
【０１３５】
＜工程Ｓ３３３＞
前記手書き画像が前記付加画像として選択された場合、主制御部１は、タッチパネル２１０に対する手書き描画の操作に従って前記手書き画像を入力し、その手書き画像を前記付加画像とする。
【０１３６】
例えば、主制御部１は、図１９が示すような手書き画像入力画面ｇ８０１を表示部２２に表示させ、タッチパネル２１０に対する操作に従って手書き画像ｇ８０１０のデータを取得する。図１９が示す例では、前記手書き画像における描画線の太さおよび色なども設定可能である。手書き画像ｇ８０１０が、例えば手書きの署名の画像などであることが考えられる。
【０１３７】
＜工程Ｓ３３４＞
前記マークが前記付加画像として選択された場合、主制御部１は、操作部２１に対する操作に従って、予め設定された複数の候補の中から前記付加画像とするマークｇ８０２０を選択し、選択したマークｇ８０２０の画像を前記付加画像とする。
【０１３８】
例えば、主制御部１は、図２１が示すようなマークｇ８０２０の複数の候補を含むマーク選択画面ｇ８０２を表示部２２に表示させ、操作部２１に対する操作に従って前記付加画像とするマークｇ８０２０を選択する。図２１が示す例では、前記マークの色なども設定可能である。
【０１３９】
＜工程Ｓ３３５＞
前記テキストが前記付加画像として選択された場合、主制御部１は、操作部２１に対する操作に従って任意の前記テキストを入力し、入力した前記テキストの画像を前記付加画像とする。
【０１４０】
例えば、主制御部１は、図２２が示すようなテキスト入力枠ｇ８０３１を含むテキスト入力画面ｇ８０３を表示部２２に表示させ、操作部２１に対する操作に従って前記テキストを入力する。図２２が示す例では、前記テキストのフォントおよび色なども設定可能である。
【０１４１】
＜工程Ｓ３３６＞
工程Ｓ３３３、工程Ｓ３３４または工程Ｓ３３５において前記付加画像が得られると、主制御部１は、送信用保留データＤ０２における工程Ｓ３３１で選択されたページの画像における前記付加画像の合成位置およびサイズを設定する。
【０１４２】
例えば、主制御部１は、工程Ｓ３３６において、図２０が示すような合成画像位置・サイズ設定画面ｇ９を表示部２２に表示させ、操作部２１に対する操作に従って前記付加画像の合成位置およびサイズを設定する。
【０１４３】
合成画像位置・サイズ設定画面ｇ９は、送信用保留データＤ０２における選択されたページのプレビュー画像ｇ７０と前記付加画像とを含む。図２０が示す例は、前記付加画像が手書き画像ｇ８０１０である場合の例である。
【０１４４】
さらに、主制御部１は、合成画像位置・サイズ設定画面ｇ９におけるプレビュー画像ｇ７０に対する前記付加画像の位置およびサイズを、タッチパネル２１０などの操作部２１に対する位置調整操作およびサイズ調整操作に従って変更する。
【０１４５】
そして、主制御部１は、合成画像位置・サイズ設定画面ｇ９における確定操作アイコンｇ８４に対する操作を検知すると、その時点におけるプレビュー画像ｇ７０に対する前記付加画像の位置およびサイズを、前記付加画像の合成位置および合成サイズとして設定する。
【０１４６】
＜工程Ｓ３３７＞
次に、主制御部１は、送信用保留データＤ０２における選択ページの画像に、前記合成位置および前記合成サイズに従って位置およびサイズが調整された前記付加画像を合成する処理を画像処理部６０に実行させる。これにより、送信用保留データＤ０２が、工程Ｓ３３１で選択されたページにおいて前記付加画像が合成されたページ画像を含むデータに更新される。
【０１４７】
主制御部１は、前記画像合成モードが選択された場合の処理（Ｓ３３０〜Ｓ３３７）が終了すると、処理を工程Ｓ３１０へ戻す。
【０１４８】
また、主制御部１は、図１０が示すデータ編集内容選択画面ｇ３の送信開始操作アイコンｇ３４が操作されたとき、即ち、工程Ｓ３１０において前記送信用データ編集処理の確定操作を検知したときに、前記送信用データ編集処理を終了させる。
【０１４９】
前記送信用データ編集処理の終了時における送信用保留データＤ０２が、相手側装置１０ｘに対してファクシミリデータとして送信の対象となる送信用データである。
【０１５０】
工程Ｓ３３１において、元のファクシミリ送信ジョブデータＤ０１のページが編集対象ページとして選択された場合がある。この場合、工程Ｓ３３６，Ｓ３３７を実行する主制御部１および画像処理部６０は、元のファクシミリ送信ジョブデータＤ０１を加工することによって送信用保留データＤ０２を生成する。その際、元のファクシミリ送信ジョブデータＤ０１は、そのデータの画像に前記付加画像を合成した画像を表すデータへ加工される。この場合の主制御部１および画像処理部６０は元データ画像合成部の一例である。
【０１５１】
また、工程Ｓ３３１において、工程Ｓ３２２〜Ｓ３２４において付加された前記テンプレートページデータのページが編集対象として選択された場合がある。この場合、工程Ｓ３３６，Ｓ３３７を実行する主制御部１および画像処理部６０は、予め設定された前記テンプレートページデータを、前記テンプレートページデータの画像に前記付加画像を合成した画像を表すデータに加工することによって前記付加ページデータを生成する。この場合の主制御部１および画像処理部６０は付加データ画像合成部の一例である。
【０１５２】
また、工程Ｓ３３３におけるタッチパネル２１０は、元のファクシミリ送信ジョブデータＤ０１に付加するための手書き画像ｇ８０１０を前記付加画像として入力可能な付加画像入力部の一例である。同様に、工程Ｓ３２１におけるスキャン部２０は、原稿を走査することにより前記原稿の画像を前記付加画像として読み取り可能な原稿画像読取部の一例である。タッチパネル２１０およびスキャン部２０は、自装置に対する操作に従って前記付加画像を入力する。
【０１５３】
［ファクシミリデータ送受信処理］
次に、図６が示すフローチャートを参照しつつ、送信側の画像処理装置１０が実行する前記ファクシミリ送信処理および受信側の画像処理装置１０が実行するファクシミリ受信処理の手順の一例について説明する。
【０１５４】
以下の説明において、工程Ｓ４０１〜Ｓ４０６は、送信側の画像処理装置１０の主制御部１が実行する各工程の識別符号を表す。より具体的には、送信側の画像処理装置１０における主制御部１は、そのＭＰＵ１１が第２記憶部１３に予め記憶されたファクシミリ送信プログラムＰｒ３を実行することにより、工程Ｓ４０１〜Ｓ１０６の処理を実行する。
【０１５５】
また、工程Ｓ５０１〜Ｓ５１１は、受信側の画像処理装置１０の主制御部１が実行する各工程の識別符号を表す。より具体的には、受信側の画像処理装置１０における主制御部１は、そのＭＰＵ１１が第２記憶部１３に予め記憶されたファクシミリ受信プログラムＰｒ４を実行することにより、工程Ｓ５０１〜Ｓ５１１の処理を実行する。
【０１５６】
［前記ファクシミリ送信処理］
まず、送信側の画像処理装置１０における前記ファクシミリ送信処理の手順の一例について説明する。このファクシミリ送信処理は、図４に示される工程Ｓ２１０および図５に示される前記送信用データ編集処理が終了したときに実行される。
【０１５７】
工程Ｓ２１０において前記ファクシミリ送信処理が実行される場合、ファクシミリ送信の対象となるデータは端末装置７から得られたファクシミリ送信ジョブデータＤ０１である。一方、前記送信用データ編集処理の終了に応じて前記ファクシミリ送信処理が実行される場合、ファクシミリ送信の対象となるデータは送信用保留データＤ０２である。以下の説明において、これらファクシミリ送信の対象となるデータのことを送信対象データＤ０１，Ｄ０２と称する。
【０１５８】
＜工程Ｓ４０１＞
前記ファクシミリ送信処理において、まず、主制御部１は、送信対象データＤ０１，Ｄ０２に設定されている前記宛先情報のファクス番号Ｄ２１１を発呼先として発呼処理および発呼先との通信接続処理を実行する。主制御部１は、第１通信部７０を通じて前記発呼処理および前記通信接続処理を実行する。
【０１５９】
第１通信回線１０１を通じた自装置からの発呼により相手側装置１０ｘとの間で通信が確立した後に、主制御部１は、工程Ｓ４０２以降の処理を実行する。
【０１６０】
＜工程Ｓ４０２＞
工程Ｓ４０２において、主制御部１は、送信対象データＤ０１，Ｄ０２が前記親展指定のデータであるか否かを判定する。送信対象データＤ０１，Ｄ０２が前記親展指定のデータではない場合、以下に示される工程Ｓ４０３〜Ｓ４０５の処理はスキップされる。
【０１６１】
＜工程Ｓ４０３＞
送信対象データＤ０１，Ｄ０２が前記親展指定のデータである場合、主制御部１は、送信対象データＤ０１，Ｄ０２に設定されている前記宛先情報の親展識別子Ｄ２２０を含む登録確認要求を、相手側装置１０ｘに送信する。この送信は、第１通信回線１０１を通じて行われる。前記登録確認要求に含められる親展識別子Ｄ２２０は、前記ファクシミリデータの親展の相手を識別する親展相手識別情報の一例である。なお、工程Ｓ４０３を実行する主制御部１が登録確認部の一例である。
【０１６２】
＜工程Ｓ４０４＞
次に、主制御部１は、工程Ｓ４０３の前記登録確認要求に対し返信される応答情報を受信する。この送信は、第１通信回線１０１を通じて行われる。前記応答情報は、前記登録確認要求に含めた親展識別子Ｄ２２０に合致する情報が相手側装置１０ｘに登録済みの状態であるか否かを表す情報である。なお、工程Ｓ４０４の処理を実行する主制御部１は応答受信部の一例である。
【０１６３】
以下の説明において、親展識別子Ｄ２２０に合致する情報が相手側装置１０ｘに登録済みの状態であることを登録済状態と称し、そうでないことを未登録状態と称する。前記応答情報の詳細については後述する。
【０１６４】
＜工程Ｓ４０５＞
さらに、主制御部１は、前記応答情報が前記登録済状態を表すか否かを判定する。前記応答情報が前記未登録済状態を表す場合、主制御部１は、表示部２２に予め定められたエラー通知を出力した後、前記ファクシミリ送信処理を中断させる。これにより、相手側装置１０ｘとの通信が終了する。
【０１６５】
＜工程Ｓ４０６＞
主制御部１は、前記応答情報が前記登録済状態を表す場合、または、送信対象データＤ０１，Ｄ０２が前記親展指定ではない場合に、送信対象データＤ０１，Ｄ０２をファクシミリデータとして相手側装置１０ｘに送信する。この送信は第１通信回線１０１を通じて行われる。前述したように、送信対象データＤ０１，Ｄ０２が、元のファクシミリ送信ジョブデータＤ０１の画像に前記付加画像が付加された画像を表す送信用保留データＤ０２である場合もある。工程Ｓ４０６の処理を実行する主制御部１はファクシミリデータ送信部の一例である。
【０１６６】
工程Ｓ４０６において、送信対象データＤ０１，Ｄ０２が前記親展指定のデータであっても、主制御部１は、送信対象データＤ０１，Ｄ０２を秘匿化せずに前記ファクシミリデータとして前記登録確認要求の送信先に対して送信する。なお、このときの主制御部１が親展データ送信部の一例である。
【０１６７】
工程Ｓ４０６において、送信対象データＤ０１，Ｄ０２が前記親展指定のデータであり、かつ、送信対象データＤ０１，Ｄ０２に設定されている前記秘匿ページが全ページのうちの一部のページである場合がある。この場合、主制御部１は、送信対象データＤ０１，Ｄ０２を前記秘匿ページに設定された秘匿ページデータと残りの非秘匿ページデータとに区別して前記ファクシミリデータとして相手側装置１０ｘに送信する。
【０１６８】
例えば、図５の工程Ｓ３２５において、端末装置７から得られたファクシミリ送信ジョブデータＤ０１の全ページ、または、画像処理装置１０が付加した前記付加ページデータの全ページが前記秘匿ページとして設定される場合がある（図１６の秘匿ページ設定画面ｇ６を参照）。この場合、主制御部１は、元データであるファクシミリ送信ジョブデータＤ０１および前記付加ページデータの一方と他方とを前記秘匿ページデータと前記非秘匿ページデータとに区別して前記ファクシミリデータとして送信する。
【０１６９】
例えば、主制御部１は、前記ファクシミリデータの送信前または送信後に、前記秘匿ページの情報を、前記秘匿ページデータと前記非秘匿ページデータとを区別する情報として相手側装置１０ｘへ送信する。また、主制御部１が、１ページ分の前記ファクシミリデータを送信するごとに、そのページが前記秘匿ページデータであるか否かの識別フラグを相手側装置１０ｘに送信することも考えられる。
【０１７０】
前記ファクシミリデータの送信後、送信側の画像処理装置１０による前記ファクシミリ送信処理が終了する。
【０１７１】
［前記ファクシミリ受信処理］
次に、受信側の画像処理装置１０における前記ファクシミリ受信処理の手順の一例について説明する。このファクシミリ受信処理は、相手側装置１０ｘから第１通信回線１０１を通じた発呼を受けたときに実行される。
【０１７２】
＜工程Ｓ５０１＞
主制御部１は、相手側装置１０ｘから第１通信回線１０１を通じた発呼を受けると、主制御部１は、第１通信部７０を通じて前記通信接続処理を実行する。
【０１７３】
第１通信回線１０１を通じた相手側装置１０ｘからの発呼により相手側装置１０ｘとの間で通信が確立した後に、主制御部１は、工程Ｓ５０２以降の処理を実行する。
【０１７４】
＜工程Ｓ５０２＞
工程Ｓ５０２において、主制御部１は、通信が確立した相手側装置１０ｘから前記登録確認要求または前記ファクシミリデータが受信されるか否かを監視する。前述したように、前記登録確認要求には親展識別子Ｄ２２０が含まれる。
【０１７５】
主制御部１は、相手側装置１０ｘとの通信が確立した後の一定時間内に前記登録確認要求が受信されない場合、処理を後述する工程Ｓ５０７へ移行させる。
【０１７６】
＜工程Ｓ５０３，Ｓ５０４＞
主制御部１は、相手側装置１０ｘから前記登録確認要求を受信した場合、予め第２記憶部１３に記憶されている登録ユーザー情報Ｄ１を参照しつつ（Ｓ５０３）、登録判定処理を実行する（Ｓ５０４）。前記登録判定処理は、第２記憶部１３の登録ユーザー情報Ｄ１が前記登録済状態であるかそうではない前記未登録状態であるかを判定する処理である。
【０１７７】
前記登録済状態は、第２記憶部１３の登録ユーザー情報Ｄ１が前記登録確認要求に含まれる親展識別子Ｄ２２０と合致する親展識別子Ｄ１１３を含む状態であり、そうではない状態が前記未登録状態である。
【０１７８】
図２３，２４が示すように、登録ユーザー情報Ｄ１は、相互に対応づけられた親展識別子Ｄ１１３とパスワードＤ１１０２と受信フォルダー情報Ｄ１１１とを含む。
【０１７９】
本実施形態において、登録ユーザー情報Ｄ１の親展識別子Ｄ１１３は、前記親展設定の前記ファクシミリデータの受信者を識別する情報である。即ち、送信側の画像処理装置１０の登録宛先情報Ｄ２に設定される親展識別子Ｄ２２０は、受信側の画像処理装置１０の登録ユーザー情報Ｄ１に設定される親展識別子Ｄ１１３と整合するように設定される。
【０１８０】
また、本実施形態において、登録ユーザー情報Ｄ１のパスワードＤ１１０２は、受信したファクシミリデータの秘匿化に用いられる秘匿化鍵情報を兼ねる。さらに、本実施形態において、登録ユーザー情報Ｄ１の受信フォルダー情報Ｄ１１１は、受信した前記ファクシミリデータの出力先を表す情報である。
【０１８１】
即ち、親展識別子Ｄ１１３、パスワードＤ１１０２および受信フォルダー情報Ｄ１１１は、それぞれ前記親展指定の前記ファクシミリデータの受取者を識別する親展受取者識別情報、前記秘匿化鍵情報および前記ファクシミリデータの出力先を表す受信データ出力先情報の一例である。この場合、登録ユーザー情報Ｄ１が受信側登録情報の一例である。また、前記ファクシミリデータが端末装置７へ転送される場合、端末アドレス情報Ｄ１２０が前記受信データ出力先情報の一例である。
【０１８２】
登録ユーザー情報Ｄ１において、前記秘匿化鍵情報がパスワードＤ１１０２とは別個に設定されることも考えられる。
【０１８３】
なお、工程Ｓ５０３の処理を実行する主制御部１は、予め第２記憶部１３に記憶された受信側登録情報を参照する受信側登録情報参照部の一例である。
【０１８４】
また、工程Ｓ５０４の処理を実行する主制御部１は、前記登録判定処理を実行する登録判定部の一例である。主制御部１は、相手側装置１０ｘの発呼により相手側装置１０ｘとの間で第１通信回線１０１での通信が確立した後に、相手側装置１０ｘから親展識別子Ｄ２２０を含む前記登録確認要求を第１通信回線１０１を通じて受信した場合に前記登録判定処理を実行する。
【０１８５】
＜工程Ｓ５０５＞
次に、主制御部１は、前記登録判定処理の結果を表す応答情報を相手側装置１０ｘに返信する。なお、工程Ｓ５０５の処理を実行する主制御部１が、登録判定結果応答部の一例である。
【０１８６】
＜工程Ｓ５０６＞
また、主制御部１は、前記登録判定処理の判定結果が前記登録済状態および前記未登録状態のいずれであるかに応じて次の処理を決定する。
【０１８７】
より具体的には、前記登録判定処理の判定結果が前記未登録状態である場合、主制御部１は、工程Ｓ５０６において前記ファクシミリ受信処理を中断し、相手側装置１０ｘとの通信を終了させる。そして、主制御部１は、前記登録確認要求を受信した場合においては、前記登録判定処理の判定結果が前記登録済状態である場合にのみ次の工程Ｓ５０７以降の処理を実行する。
【０１８８】
一方、主制御部１は、相手側装置１０ｘからの前記登録確認要求の送信がない場合、工程Ｓ５０３〜Ｓ５０６をスキップして工程Ｓ５０７以降の処理を実行する。
【０１８９】
＜工程Ｓ５０７＞
工程Ｓ５０７において、主制御部１は、相手側装置１０ｘから前記ファクシミリデータを受信する。このファクシミリデータが受信ファクシミリデータＤ００である。
【０１９０】
本実施形態において、主制御部１は、前記登録確認要求に続いてその登録確認要求の送信元から受信ファクシミリデータＤ００を受信した場合、その受信ファクシミリデータＤ００が前記親展指定のデータあると判定できる。また、受信ファクシミリデータＤ００に付随して、前記親展指定の有無の情報が送信側の画像処理装置１０から受信側の画像処理装置１０へ送信されることも考えられる。
【０１９１】
工程Ｓ５０７において、受信する前記親展指定の受信ファクシミリデータＤ００の一部または全部は前記秘匿ページデータである。受信ファクシミリデータＤ００が前記秘匿ページと前記非秘匿ページデータとを含む場合、主制御部１は、前記秘匿ページデータと前記非秘匿ページデータとを区別して受信する。
【０１９２】
例えば、主制御部１は、受信ファクシミリデータＤ００の送信前または送信後に相手側装置１０ｘから受信する前記秘匿ページの情報によって前記秘匿ページデータと前記非秘匿ページデータとを区別する。また、主制御部１が、１ページ分の受信ファクシミリデータＤ００の受信ごとに相手側装置１０ｘから得られる前記識別フラグによって前記秘匿ページデータと前記非秘匿ページデータとを区別することも考えられる。
【０１９３】
以上に示したように、主制御部１は、前記登録確認要求を受信した場合、前記登録判定処理の結果が前記登録済状態である場合にのみ、前記登録確認要求の送信元から前記親展指定の前記ファクシミリデータを第１通信回線１０１を通じて受信する（Ｓ５０７）。工程Ｓ５０７の処理を実行する主制御部１は親展データ受信部の一例である。
【０１９４】
＜工程Ｓ５０８＞
次に、主制御部は、受信ファクシミリデータＤ００が前記親展指定のデータあるか否かによって次の工程Ｓ５０９の処理を実行するかスキップするかを制御する。
【０１９５】
＜工程Ｓ５０９＞
受信ファクシミリデータＤ００が前記親展指定のデータである場合、主制御部１は、前記登録確認要求の送信元からの受信ファクシミリデータＤ００を秘匿化して保存する。即ち、主制御部１は、相手側装置１０ｘから前記秘匿化鍵情報を受信することなく、前記親展指定の受信ファクシミリデータＤ００を秘匿化する。その際、主制御部１は、受信ファクシミリデータＤ００における前記秘匿ページデータのみを、前記秘匿化鍵情報を用いて秘匿化する。前記非秘匿ページデータは秘匿化されない。
【０１９６】
例えば、主制御部１は、受信ファクシミリデータＤ００における前記秘匿ページデータを前記秘匿化鍵情報によって秘匿化された第２記憶部１３の前記データフォルダーに保存する。前記秘匿化鍵情報によって秘匿化された前記データフォルダーは、第２記憶部１３のファイル管理システムに対して予め設定された前記秘匿化鍵情報が入力された場合にのみアクセス可能なフォルダーである。また、主制御部１は、受信ファクシミリデータＤ００における前記非秘匿ページデータを、秘匿化されていない前記データフォルダーに保存する。
【０１９７】
受信ファクシミリデータＤ００が前記親展指定のデータである場合、主制御部１は、受信ファクシミリデータＤ００を、登録ユーザー情報Ｄ１における受信フォルダー情報Ｄ１１１が表す指定フォルダーに保存する。受信フォルダー情報Ｄ１１１は、前記秘匿ページデータの保存先である前記秘匿化鍵情報によって秘匿化された前記データフォルダーを指定する情報と、前記非秘匿ページデータの保存先である秘匿化されていない前記データフォルダーを指定する情報とを含む。前記指定フォルダーを表す受信フォルダー情報Ｄ１１１は、前記登録確認要求に含まれる親展識別子Ｄ２２０と合致するユーザー識別子Ｄ１１０１に対応する受信フォルダー情報Ｄ１１１である。
【０１９８】
本実施形態において、前記秘匿化鍵情報は、登録ユーザー情報Ｄ１におけるパスワードＤ１１０２である。より具体的には、前記秘匿化鍵情報は、前記登録確認要求に含まれる親展識別子Ｄ２２０と合致するユーザー識別子Ｄ１１０１に対応づけられた第２記憶部１３のパスワードＤ１１０２である。
【０１９９】
なお、工程Ｓ５０９の処理を実行する主制御部１は、前記登録確認要求の送信元から前記秘匿化鍵情報を受信することなしに、前記登録確認要求の送信元から受信した前記親展指定の前記ファクシミリデータを秘匿化する秘匿化部の一例である。前記登録確認要求の送信元から受信した受信ファクシミリデータＤ００は、前記親展設定のデータである。
【０２００】
さらに、工程Ｓ５０９の処理を実行する主制御部１は、前記親展指定の受信ファクシミリデータＤ００を前記データフォルダーへ出力する親展受信データ出力部の一例でもある。
【０２０１】
＜工程Ｓ５１０＞
次に、主制御部１は受信ファクシミリデータＤ００の出力処理を実行する。前記出力処理において、例えば、前記出力処理が、前記親展指定ではない受信ファクシミリデータＤ００が表す画像をシート状の前記画像記録媒体上に形成する処理であることが考えられる。この場合、主制御部１は、プリント制御部５０を通じてプリント部４０に画像形成処理を実行させる。
【０２０２】
また、前記出力処理において、主制御部１が、受信ファクシミリデータＤ００を対応する端末装置７へ転送することも考えられる。この場合、主制御部１は、登録ユーザー情報Ｄ１を参照し、前記登録確認要求に含まれる親展識別子Ｄ２２０と合致するユーザー識別子Ｄ１１０１に対応する端末アドレス情報Ｄ１２０をデータの転送先の情報として特定する。
【０２０３】
また、前記出力処理において、主制御部１が、受信ファクシミリデータＤ００における前記秘匿ページデーを、前記秘匿化鍵情報を用いて暗号化した上で端末装置７へ転送することも考えられる。なお、前記親展指定の受信ファクシミリデータＤ００を端末装置７へ転送するときの主制御部１も前記親展受信データ出力部の一例である。
【０２０４】
＜工程Ｓ５１１＞
さらに、主制御部１は、前記ファクシミリデータを受信した旨を通知する受信通知処理を実行する。例えば、前記受信通知処理が、表示部２２にメッセージを出力する処理を含むことが考えられる。
【０２０５】
また、前記受信通知処理が、受信ファクシミリデータＤ００に対応する端末装置７へ通知メッセージを送信する処理を含むことも考えられる。この場合、主制御部１は、登録ユーザー情報Ｄ１を参照し、前記登録確認要求に含まれる親展識別子Ｄ２２０と合致するユーザー識別子Ｄ１１０１に対応する端末アドレス情報Ｄ１２０を前記通知メッセージの送信先の情報として特定する。
【０２０６】
また、受信ファクシミリデータＤ００が秘匿化された前記秘匿ページデータと前記非秘匿ページデータとを含む場合、前記受信通知処理が、前記非秘匿ページデータが表す画像をシート状の前記画像記録媒体上に形成する処理を含むことも考えられる。この場合、主制御部１は、プリント制御部５０を通じてプリント部４０に画像形成処理を実行させる。
【０２０７】
前記受信通知処理の後、受信側の画像処理装置１０による前記ファクシミリ受信処理が終了する。
【０２０８】
受信側の画像処理装置１０において、主制御部１は、自装置の前記ユーザー認証処理が成功した上で、操作部２１に対して予め定められた親展データ出力操作が行われたことを検知した場合、親展データ出力処理を実行する。
【０２０９】
前記親展データ出力処理は、第２記憶部１３の前記指定フォルダーに保存された前記親展指定の受信ファクシミリデータＤ００を読み出して出力する処理である。主制御部１は、秘匿化された前記指定フォルダーから前記秘匿ページデータを読み出す場合に、第２記憶部１３の前記ファイル管理システムとの間で前記指定フォルダーに対応する前記秘匿化鍵情報の照合処理を実行する。これにより、秘匿化された前記指定フォルダーから前記秘匿ページデータを読み出すことが可能になる。主制御部１は、自装置の前記ユーザー認証処理において用いられたユーザー識別子Ｄ１１０１に対応する受信フォルダー情報Ｄ１１１を、前記指定フォルダーの情報として特定する。
【０２１０】
受信ファクシミリデータＤ００の出力は、例えば、プリント部４０によってシート状の前記画像記録媒体上に受信ファクシミリデータＤ００が表す画像を形成することである。また、受信ファクシミリデータＤ００の出力が、対応する端末装置７へ受信ファクシミリデータＤ００を転送することであることも考えられる。その際、前記秘匿ページデータが、前記秘匿化鍵情報を用いて暗号化された上で端末装置７へ転送されることも考えられる。
【０２１１】
主制御部１は、前記ファイル管理システムとの間の前記照合処理に用いる前記秘匿化鍵情報を登録ユーザー情報Ｄ１から得る。前記秘匿化鍵情報がパスワードＤ１１０２である場合、主制御部１が、自装置の前記ユーザー認証処理で用いられたパスワードＤ１１０２を前記ファイル管理システムとの間の前記照合処理に用いることが考えられる。
【０２１２】
また、前記親展データ出力処理において、主制御部１が、受信ファクシミリデータＤ００の出力の前に操作部２１を通じて入力されるパスワードＤ１１０２を取得することが考えられる。この場合、主制御部１は、取得したパスワードＤ１１０２が自装置の前記ユーザー認証処理で用いられたパスワードＤ１１０２と合致する場合にのみ、前記親展データ出力処理を実行する。
【０２１３】
また、主制御部１が、前記親展データ出力処理が完了した場合に、前記親展データ出力処理の対象とした受信ファクシミリデータＤ００を第２記憶部１３から削除することが考えられる。
【０２１４】
なお、前記親展指定の受信ファクシミリデータＤ００を秘匿化する処理が、受信ファクシミリデータＤ００における前記秘匿ページデータを前記秘匿化鍵情報を用いて暗号化する処理であることも考えられる。
【０２１５】
画像処理装置１０が採用されれば、前記親展指定の前記ファクシミリデータの送受信が行われる際、送信側および受信側の一方のユーザーが他方のユーザーに対して前記秘匿化鍵情報を通知する手間を省略することができる。
【０２１６】
例えば、前記秘匿化鍵情報を随時変更することが推奨される場合においても、前記秘匿化鍵情報の変更が生じるごとに前記秘匿化鍵情報の通知を行うという煩雑な手間が生じない。
【０２１７】
また、画像処理装置１０が採用されれば、前記親展指定の前記ファクシミリデータについて、秘匿化を要する前記秘匿ページデータとそうでない前記非秘匿ページデータとを区別して設定することができる。この場合、例えば前記秘匿ページデータの概略説明の文書を前記非秘匿データとして送受信することなどが可能になる。そのため、前記親展指定の前記ファクシミリデータの送受信方法の自由度が高まる。
【０２１８】
また、画像処理装置１０は、端末装置７から得られるファクシミリ送信ジョブデータＤ０１の画像に前記付加画像を付加した画像を表す送信用保留データＤ０２を生成し、その送信用保留データＤ０２を前記ファクシミリデータとして送信する画像付加送信機能を備える。
【０２１９】
前記画像付加送信機能は、端末装置７において作成されるデータの画像とその他の画像とを一括してファクシミリ送信したい場合に好適である。上記画像付加送信機能は、端末装置７においてワードプロセッサーなどのアプリケーションソフトウェアを通じて作成される文書と、既存の原稿の画像とを一括してファクシミリ送信したい場合などの利用形態において便利である。
【０２２０】
上記利用形態において、前記画像付加送信機能によれば、端末装置７において作成される文書などの画像をプリンターによってシートに出力する必要がない。そのため、前記シートなどの消耗品が無駄に消費されることを防止できる。
【０２２１】
さらに、上記利用形態において、前記画像付加送信機能によれば、スキャン部２０を用いて既存の前記原稿の画像データを端末装置７に取り込み、さらに、端末装置７において種類の異なる複数のデータを１つのデータに併合するという煩雑な作業も不要である。
【０２２２】
また、画像処理装置１０は、ファクシミリ送信ジョブデータＤ０１の画像にタッチパネル２１０を通じて入力される手書き画像ｇ８０１０を付加した画像をファクシミリ送信する機能を備える。タッチパネル２１０は、一般的な複合機が通常備える装置である。
【０２２３】
画像処理装置１０が採用されれば、端末装置７がタッチパネルを備えていない場合などにおいても、署名などの手書き画像ｇ８０１０が前記付加画像として付加された画像をファクシミリ送信することが容易である。
【０２２４】
また、画像処理装置１０は、前記テンプレートページデータを、端末装置７から得られるファクシミリ送信ジョブデータＤ０１に付加して送信する機能を備える。そのため、複数のユーザーに共通の前記テンプレートページデータを画像処理装置１０で一元管理することなどが容易となる。
【０２２５】
さらに、画像処理装置１０は、前記テンプレートページデータの画像に前記付加画像を合成した画像のページデータを、ファクシミリ送信ジョブデータＤ０１に付加して送信する機能を備える。そのため、複数のユーザーに共通の前記テンプレートページデータに各ユーザーに固有の署名などの前記付加画像を合成することが容易である。
【０２２６】
［第２実施形態］
次に、図２７が示すフローチャートを参照しつつ、第２実施形態に係る画像処理装置１０Ａについて説明する。図２７は、第２実施形態に係る画像処理装置が実行するファクシミリ送信処理の手順の一例を表すフローチャートである。
【０２２７】
図２７における工程Ｓ６０１〜Ｓ６０６は、送信側の画像処理装置１０Ａが実行するファクシミリ送信処理の手順の一例を示す。送信側の画像処理装置１０Ａにおける主制御部１は、そのＭＰＵ１１が第２記憶部１３に予め記憶されたファクシミリ送信プログラムＰｒ３を実行することにより、工程Ｓ６０１〜Ｓ６０６の処理を実行する。
【０２２８】
また、図２７における工程Ｓ７０１〜Ｓ７０６および工程Ｓ８０１〜Ｓ８０８は、受信側の画像処理装置１０Ａが実行するファクシミリ受信処理の手順の一例を示す。受信側の画像処理装置１０Ａにおける主制御部１は、そのＭＰＵ１１が第２記憶部１３に予め記憶されたファクシミリ受信プログラムＰｒ４を実行することにより、工程Ｓ７０１〜Ｓ７０６および工程Ｓ８０１〜Ｓ８０８の処理を実行する。
【０２２９】
画像処理装置１０Ａは、第２通信回線１０２を通じて前記登録確認要求を送受信する点において画像処理装置１０と異なる。以下、画像処理装置１０Ａにおける画像処理装置１０と異なる点について説明する。
【０２３０】
本実施形態において、第２通信回線１０２は、インターネットに接続されている。そして、送信側の画像処理装置１０Ａおよび受信側の画像処理装置１０Ａは、第２通信回線１０２を通じてデータの送受信が可能である。受信側の画像処理装置１０Ａにおける登録宛先情報Ｄ２には、ファクス番号Ｄ２１１に対応づけられた第２通信回線１０２用の通信アドレスが含まれる。
【０２３１】
以下、第２通信回線１０２を通じてファクシミリ通信の送信側および受信側の画像処理装置１０Ａがデータを送受信する際に用いられる前記インターネットにおける前記通信アドレスのことをインターネットアドレスと称する。例えば、前記インターネットアドレスが、電子メールアドレスであることが考えられる。
【０２３２】
［前記ファクシミリ送信処理］
まず、送信側の画像処理装置１０Ａにおける前記ファクシミリ送信処理の手順の一例について説明する。このファクシミリ送信処理は、図４に示される工程Ｓ２１０および図５に示される前記送信用データ編集処理が終了したときに実行される。
【０２３３】
＜工程Ｓ６０１＞
まず、主制御部１は、送信対象データＤ０１，Ｄ０２が前記親展指定のデータであるか否かを判定する。この工程は、図６の工程Ｓ４０２と同様である。送信対象データＤ０１，Ｄ０２が前記親展指定のデータではない場合、以下に示される工程Ｓ６０２〜Ｓ６０４の処理はスキップされる。
【０２３４】
＜工程Ｓ６０２＞
送信対象データＤ０１，Ｄ０２が前記親展指定のデータである場合、主制御部１は、送信対象データＤ０１，Ｄ０２に設定されている前記宛先情報の親展識別子Ｄ２２０を含む前記登録確認要求を、相手側装置１０ｘに送信する。工程Ｓ６０２における前記登録確認要求の送信は、第２通信回線１０２を通じて行われる点において、図６の工程Ｓ４０３と異なる。
【０２３５】
工程Ｓ６０２において、主制御部１は、登録宛先情報Ｄ２において相手側装置１０ｘのファクス番号Ｄ２１１に対応づけられた前記インターネットアドレスを宛先として前記登録確認要求を送信する。例えば、前記登録確認要求の送信処理が、電子メールの送信処理であることが考えられる。
【０２３６】
＜工程Ｓ６０３＞
次に、主制御部１は、工程Ｓ６０２の前記登録確認要求に対し返信される応答情報を受信する。この受信は、第２通信回線１０２を通じて行われる。この応答情報は、前記登録確認要求に含めた親展識別子Ｄ２２０が相手側装置１０ｘに登録されている前記登録済状態であるか否かを表す。
【０２３７】
＜工程Ｓ６０４＞
さらに、主制御部１は、図６の工程Ｓ４０５と同様に、前記応答情報が前記登録済状態を表すか否かを判定する。前記応答情報が前記未登録済状態を表す場合、主制御部１は、表示部２２に予め定められたエラー通知を出力した後、前記ファクシミリ送信処理を中断させる。
【０２３８】
＜工程Ｓ６０５＞
一方、主制御部１は、前記応答情報が前記登録済状態を表す場合に、送信対象データＤ０１，Ｄ０２に設定されている前記宛先情報のファクス番号Ｄ２１１を発呼先として発呼処理および発呼先との通信接続処理を実行する。主制御部１は、第１通信部７０を通じて前記発呼処理および前記通信接続処理を実行する。この工程Ｓ６０５において、送信対象データＤ０１，Ｄ０２が前記親展指定のデータであるか否かの情報が相手側装置１０ｘに送信される。
【０２３９】
＜工程Ｓ６０６＞
主制御部１は、前記応答情報が前記登録済状態を表す場合、または、送信対象データＤ０１，Ｄ０２が前記親展指定ではない場合に、送信対象データＤ０１，Ｄ０２をファクシミリデータとして相手側装置１０ｘに送信する。この送信は、図６の工程Ｓ４０６と同様に、第１通信回線１０１を通じて行われる。
【０２４０】
以上により、前記ファクシミリ送信処理が終了する。
【０２４１】
［前記ファクシミリ受信処理］
次に、受信側の画像処理装置１０Ａにおける前記ファクシミリ受信処理の手順の一例について説明する。図２７における工程Ｓ７０１〜Ｓ７０６の処理は、相手側装置１０ｘから第２通信回線１０２を通じて前記登録確認要求を受信する場合の処理である。
【０２４２】
＜工程Ｓ７０１＞
主制御部１は、第２通信回線１０２を通じた前記登録確認要求の受信状況を監視する。そして、主制御部１は、相手側装置１０ｘからの要求に応じて、前記登録確認要求を第２通信回線１０２を通じて受信する。
【０２４３】
＜工程Ｓ７０２，Ｓ７０３＞
主制御部１は、相手側装置１０ｘから前記登録確認要求を受信した場合、第２記憶部１３の登録ユーザー情報Ｄ１を参照しつつ（Ｓ７０２）、前記登録判定処理を実行する（Ｓ７０３）。これら工程Ｓ７０２，Ｓ７０３は、図６の工程５０３，Ｓ５０４と同様である。
【０２４４】
＜工程Ｓ７０４＞
次に、主制御部１は、前記登録判定処理の結果を表す応答情報を、相手側装置１０ｘに対して第２通信回線１０２を通じて返信する。
【０２４５】
＜工程Ｓ７０５＞
前記登録判定処理の判定結果が前記登録済状態である場合、主制御部１は、次の工程Ｓ７０６の処理を実行する。一方、前記登録判定処理の判定結果が前記未登録済状態である場合、主制御部１は、工程Ｓ７０６をスキップして工程Ｓ７０１からの処理を繰り返す。
【０２４６】
＜工程Ｓ７０６＞
前記登録判定処理の判定結果が前記登録済状態である場合、主制御部１は、前記登録確認要求の要求元を識別する要求元情報を第２記憶部１３に記憶させる。例えば、前記要求元情報が、相手側装置１０ｘのファクス番号であることが考えられる。前記要求元情報は、記録日時とともに第２記憶部１３に記録される。
【０２４７】
主制御部１は、工程Ｓ７０６の処理の後、工程Ｓ７０１からの処理を繰り返す。以上の工程Ｓ７０１〜Ｓ７０６の処理が、が前記ファクシミリ受信処理における前記登録確認要求の受信に関する処理である。
【０２４８】
続いて、前記ファクシミリ受信処理における第１通信回線１０１を通じた前記ファクシミリデータの受信に関する処理（Ｓ８０１〜Ｓ８０８）について説明する。
【０２４９】
＜工程Ｓ８０１＞
主制御部１は、相手側装置１０ｘから第１通信回線１０１を通じた通信接続の状況を監視する。主制御部１は、相手側装置１０ｘから第１通信回線１０１を通じた発呼を受けると、図６の工程Ｓ５０１と同様に、第１通信部７０を通じて前記通信接続処理を実行する。
【０２５０】
さらに、主制御部１は、前記通信接続処理によって通信が確立した相手側装置１０ｘから、送信対象データＤ０１，Ｄ０２が前記親展指定のデータであるか否かの情報を受信さうる。
【０２５１】
＜工程Ｓ８０２＞
主制御部１は、前記通信接続処理によって得られた情報に基づいて、相手側装置１０ｘが前記親展指定のデータを送信しようとしているのか否かを判定する。主制御部１は、相手側装置１０ｘが前記親展指定ではないデータを送信しようとしていると判定した場合、次の工程Ｓ８０３をスキップして工程Ｓ８０４以降の処理を実行する。
【０２５２】
＜工程Ｓ８０３＞
主制御部１は、相手側装置１０ｘが前記親展指定のデータを送信しようとしていると判定した場合、相手側装置１０ｘが工程Ｓ７０６で第２記憶部１３に記録した前記要求元情報に対応する装置であるか否かを判定する。
【０２５３】
主制御部１は、相手側装置１０ｘが前記要求元情報に対応する装置ではないと判定した場合、前記ファクシミリ受信処理を終了させる。
【０２５４】
＜工程Ｓ８０４＞
主制御部１は、相手側装置１０ｘが前記要求元情報に対応する装置であると判定した場合、または、
相手側装置１０ｘが前記親展指定ではないデータを送信しようとしていると判定した場合、相手側装置１０ｘから前記ファクシミリデータを受信する。このファクシミリデータが受信ファクシミリデータＤ００である。
【０２５５】
＜工程Ｓ８０５＞
さらに、受信ファクシミリデータＤ００が前記親展指定のデータである場合、主制御部１は、図６の工程Ｓ５０９と同様に、受信ファクシミリデータＤ００を秘匿化して保存する。即ち、主制御部１は、相手側装置１０ｘから前記秘匿化鍵情報を受信することなく、前記親展指定の受信ファクシミリデータＤ００を秘匿化する。
【０２５６】
＜工程Ｓ８０６、Ｓ８０７＞
次に、主制御部１は、図６の工程５１０，Ｓ５１１と同様に、受信ファクシミリデータＤ００の前記出力処理（Ｓ８０６）と、前記通知処理（Ｓ８０７）とを実行する。以上により、前記ファクシミリ受信処理が終了する。
【０２５７】
画像処理装置１０Ａが採用される場合も、画像処理装置１０が採用される場合と同様の効果が得られる。さらに、画像処理装置１０Ａによれば、送信側の前記登録確認要求に関する処理（Ｓ６０２〜Ｓ６０４）において前記未登録状態の結果が得られる場合に、第１通信回線１０１の前記通信接続処理が無駄に実行されることが防止される。
【０２５８】
[応用例]
図５が示す前記送信用データ編集処理の工程Ｓ３２０において、タッチパネル２１０を通じて入力される手書き画像ｇ８０１０を１ページ分の画像とするページ画像データが、前記付加ページデータの種類の選択肢に含まれることが考えられる。
【０２５９】
また、前記ドライバーソフトウェアを実行する端末装置７が、図４が示す工程Ｓ１０４において前記秘匿ページを設定する処理を実行することも考えられる。この場合、端末装置７の本体部７ａが、操作入力部７ｃに対する操作に従って、前記親展指定のファクシミリ送信ジョブデータＤ０１についての前記秘匿ページを設定する処理を実行する。
【０２６０】
また、登録ユーザー情報Ｄ１および登録宛先情報Ｄ２のうちの一方または両方を記憶する記憶部が、画像処理装置１０と通信可能な他の装置に設けられていてもよい。
【０２６１】
例えば、画像処理装置１０が第２通信回線１０２を通じて通信可能なサーバー装置などの他の装置が、登録ユーザー情報Ｄ１および登録宛先情報Ｄ２を記憶する記憶部を備えることが考えられる。この場合、主制御部１は、第２通信部８０を通じて前記他の装置が記憶する登録ユーザー情報Ｄ１および登録宛先情報Ｄ２を参照する。
【０２６２】
なお、本発明に係る画像処理装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【０２６３】
１          ：主制御部
２          ：操作表示部
７          ：端末装置
７ａ        ：端末装置の本体部
７ｂ        ：端末表示部
７ｃ        ：端末装置の操作入力部
９          ：バス
１０，１０Ａ：画像処理装置
１０ｘ      ：相手側装置
１１        ：ＭＰＵ
１２        ：第１記憶部
１３        ：第２記憶部
２０        ：スキャン部
２１        ：操作部
２２        ：表示部
３０        ：スキャン制御部
４０        ：プリント部（原稿画像読取部）
５０        ：プリント制御部
６０        ：画像処理部
７０        ：第１通信部
８０        ：第２通信部
１０１      ：第１通信回線
１０２      ：第２通信回線
２１０      ：タッチパネル（付加画像入力部）
Ｄ００      ：受信ファクシミリデータ
Ｄ０１      ：ファクシミリ送信ジョブデータ（元データ）
Ｄ０２      ：送信用保留データ（送信用データ）
Ｄ１        ：登録ユーザー情報
Ｄ１１      ：第１登録ユーザー情報
Ｄ１１０    ：ユーザー認証情報
Ｄ１１０１  ：ユーザー識別子
Ｄ１１０２  ：パスワード
Ｄ１１１    ：受信フォルダー情報
Ｄ１１２    ：送信フォルダー情報
Ｄ１１３    ：親展識別子（親展受取者識別情報）
Ｄ１１４    ：端末ユーザー識別子
Ｄ１１５    ：ユーザー属性情報
Ｄ１２      ：第２登録ユーザー情報
Ｄ１２０    ：端末アドレス情報
Ｄ２        ：登録宛先情報
Ｄ２１      ：第１登録宛先情報
Ｄ２１０    ：ファクス番号コード
Ｄ２１１    ：ファクス番号
Ｄ２１２    ：会社名情報
Ｄ２２      ：第２登録宛先情報
Ｄ２２０    ：親展識別子（親展相手識別情報）
Ｄ２２１    ：受信者属性情報
Ｄ２２１１  ：受信者名情報
Ｄ２２１２  ：部署情報
Ｐｒ１      ：ファクシミリ送信中継プログラム
Ｐｒ２      ：送信用データ編集プログラム
Ｐｒ３      ：ファクシミリ送信プログラム
Ｐｒ４      ：ファクシミリ受信プログラム
【図１】
2016152462.tif 000003
【図２】
2016152462.tif 000004
【図３】
2016152462.tif 000005
【図４】
2016152462.tif 000006
【図５】
2016152462.tif 000007
【図６】
2016152462.tif 000008
【図７】
2016152462.tif 000009
【図８】
2016152462.tif 000010
【図９】
2016152462.tif 000011
【図１０】
2016152462.tif 000012
【図１１】
2016152462.tif 000013
【図１２】
2016152462.tif 000014
【図１３】
2016152462.tif 000015
【図１４】
2016152462.tif 000016
【図１５】
2016152462.tif 000017
【図１６】
2016152462.tif 000018
【図１７】
2016152462.tif 000019
【図１８】
2016152462.tif 000020
【図１９】
2016152462.tif 000021
【図２０】
2016152462.tif 000022
【図２１】
2016152462.tif 000023
【図２２】
2016152462.tif 000024
【図２３】
2016152462.tif 000025
【図２４】
2016152462.tif 000026
【図２５】
2016152462.tif 000027
【図２６】
2016152462.tif 000028
【図２７】
2016152462.tif 000029